(57)【要約】      （修正有）【課題】フレームのコーナー部で怪我をすることなく、安全に額装物の出し入れやパネルの運搬、掲示が可能なパネルを提供する。【解決手段】長尺状のフレーム材を四角形状に枠組みすることにより形成され、左右の縦枠２０１と上枠２０２と下枠２０３を有するフレーム２と、フレーム２の内周に係止された裏板と、裏板の正面側に重ね合わされる配置でフレーム２の内周に係止されて裏板とともに額装物を挟み込むための透明体を備えてパネル１を構成する。さらに、フレーム２は、断面形状をコ字状として長手方向に沿って開口を有する凹溝部を具備した長尺のフレーム材を、開口が内周側に向く配置で、折り曲げることによって、四角形状に変形させて形成し、裏板及び透明体は、その周縁部をフレーム２の凹溝部内に装挿することで、フレーム２の内周に係止される。【選択図】図１
0003170265.tif 000002
【実用新案登録請求の範囲】
【請求項１】
長尺状のフレーム材を四角形状に枠組みすることにより形成され、左右の縦枠（２０１）と、上枠（２０２）と、下枠（２０３）と、を有するフレーム（２）と、
該フレーム（２）の内周に係止された裏板（３）と、
該裏板（３）の正面側に重ね合わされる配置で、前記フレーム（２）の内周に係止され、前記裏板（３）とともに、写真、絵画、賞状等の額装物を挟み込むための透明体（４）と、を具備するパネル（１）であって、
前記フレーム（２）は、
断面形状をコ字状として長手方向に沿って開口（１０）を有する凹溝部（１１）を具備した長尺のフレーム材（８、９）を、前記開口（１０）が内周側に向く配置で、折り曲げることによって、四角形状に変形させて形成し、
前記裏板（３）及び透明体（４）は、その周縁部を前記凹溝部（１１）内に装挿することで、前記フレーム（２）の内周に係止されている、ことを特徴とするパネル。
【請求項２】
前記フレーム（２）は、
前記左右の縦枠（２０１）のそれぞれに形成した切断部（２０４）を境にして、上部フレーム部（６）と下部フレーム部（７）とに分断されるとともに、
前記上部フレーム部（６）と前記下部フレーム部（７）は、連結金具（１２）によって分離自在に連結されている、ことを特徴とする請求項１に記載のパネル。
【請求項３】
前記フレーム材(８、９）は、前記折り曲げる箇所において、折り曲げる方向に約９０度の切り欠き（１４）が形成されていることを特徴とする請求項１又は請求項２に記載のパネル。
【考案の詳細な説明】
【技術分野】
【０００１】
本考案は、略四角形状に枠組みされたフレームと、このフレームの内周に支持された裏板及び透明体を備え、絵画、写真、賞状等の額装物を額装して掲示するためのパネルに係り、より詳しくは、フレームにおけるコーナー部に丸みを持たせることで、安全に額装物の出し入れを可能にしたパネルに関する。
【背景技術】
【０００２】
従来から、絵画、写真、賞状等を壁等に飾るためのものとしてパネルが提供されている。そして、このパネルは一般的に、長尺状のフレーム材を四角形状に枠組みすることにより形成されるフレームを有しており、このフレームの内周側には、裏板と透明体が係止されており、この裏板と透明体間に絵画、写真、賞状等の額装物を挟み込むことで、絵画、写真、賞状等を額装可能としている。
【０００３】
ところで、一般的にパネルのフレームは、長尺のフレーム材を４本に切断して作られるが、この切断の際には、各フレーム材が互いに直交する方向に連結できるように、約４５度の角度あるいは約１３５度の角度で切断される。
【０００４】
即ち、図６は、従来のフレーム３１を分解して示した斜視図であり、図６に示すフレーム３１は、短めのフレーム材３２ａを２本と、長めのフレーム材３２ｂを２本とからなる４本のフレーム材３２によって構成されている。
【０００５】
そして、前記４本のフレーム材３２ａ、３２ｂはいずれも、アルミ製としており、断面形状をコ字状とし、透明体と裏板を内周側に係止可能な凹部を有して構成され、この４本のフレーム材３２ａ、３２ｂを、Ｌ字状の連結金具３３を用いて四角形状に枠組みすることで、フレーム３２が構成されている。
【０００６】
そしてこのとき、各フレーム材３２ａ、３２ｂが互いに直交する方向に連結されてフレーム３１のコーナーを構成できるように、前記フレーム材３２ａ、３２ｂの端部はいずれも、長手方向に対して、４５度あるいは１３５度になるように切断され、これによってフレーム材３２ａ、３２ｂを四角形状に枠組みすることを可能にしている。
【先行技術文献】
【特許文献】
【０００７】
【特許文献１】特開２００５−８７５０２号公報
【特許文献２】特公平７−８７８１３号公報
【考案の概要】
【考案が解決しようとする課題】
【０００８】
このように、従来のパネルにおけるフレームでは、フレームを構成するフレーム材の端部を約４５度あるいは１３５度の角度で切断し、この端部分によって各フレーム材を互いに直交する方向に向けて連結していたため、フレームのコーナー部が９０度の角度で鋭角になってしまい、絵画、写真、賞状等の出し入れの際に、あるいは、絵画、写真、賞状等を額装したパネルを所望する箇所に掲示する際に、フレームのコーナーで、手等に怪我をしてしまうおそれが指摘されていた。特に、前述のような、アルミ等の金属製のフレームの場合には、コーナー部で怪我をするおそれが大きかった。
【０００９】
そこで、本考案は、フレームのコーナー部で怪我をすることなく、安全に額装物の出し入れやパネルの運搬、掲示が可能なパネルを提供することを課題としている。
【課題を解決するための手段】
【００１０】
本考案のパネルは、
長尺状のフレーム材を四角形状に枠組みすることにより形成され、左右の縦枠と、上枠と、下枠と、を有するフレームと、
該フレームの内周に係止された裏板と、
該裏板の正面側に重ね合わされる配置で、前記フレームの内周に係止され、前記裏板とともに、写真、絵画、賞状等の額装物を挟み込むための透明体と、を具備するパネルであって、
前記フレームは、
断面形状をコ字状として長手方向に沿って開口を有する凹溝部を具備した長尺のフレーム材を、前記開口が内周側に向く配置で折り曲げることによって、四角形状に変形させて形成し、
前記裏板及び透明体は、周縁部を前記凹溝部内に装挿することで、前記フレームの内周に係止されている、ことを特徴としている。
【考案の効果】
【００１１】
本考案のパネルでは、複数本の長尺状のフレーム材を四角形状に枠組みすることにより形成されるフレームと、このフレームの内周に係止される裏板および透明体とを具備したパネルにおいて、前記フレームは、長尺のフレーム材を折り曲げることによって、四角形状に変形させて形成している。
【００１２】
そのために、フレームのコーナーは、従来のパネルにおけるフレームのような鋭角ではなく、丸みを帯びた形状となって、従って、絵画、写真、賞状等の出し入れの際や、絵画、写真、賞状等を額装したパネルを所望する箇所に掲示する際に、フレームのコーナーで、手等に怪我をしてしまうことが無く、安全に額装物の出し入れやパネルの運搬、掲示が可能である。
【図面の簡単な説明】
【００１３】
【図１】本考案のパネルの実施例の正面を示す図である。
【図２】図１におけるＡ−Ａ線断面図である。
【図３】本考案のパネルの実施例の分解図である。
【図４】本考案のパネルの実施例におけるフレーム材を説明するための図である。
【図５】本考案のパネルの実施例におけるフレーム材を説明するための図である。
【図６】従来のパネルにおけるフレームを説明するための図である。
【考案を実施するための形態】
【００１４】
本考案のパネルでは、長尺状のフレーム材を四角形状に枠組みすることによってフレームが形成されており、従ってこのフレームは、左右の縦枠と、上枠と、下枠を有している。
【００１５】
そして、このフレームの内周側には、額装する絵画、写真等を裏面から支持するための裏板が係止されており、この裏板は発泡スチロール、段ボール、厚紙、あるいはＭＤＦ等の素材により構成している。
【００１６】
また、前記フレーム内において前記裏板の正面側には、裏板に重ね合わされる配置で透明体が係止されており、この透明体と前記裏板とで絵画、写真等を挟みこむことによって、パネルに絵画、写真等を額装可能としている。
【００１７】
そして、前記フレームは、長尺のフレーム材を四角形状に変形させることで形成されており、フレーム材は、断面形状をコ字状としており、長手方向に沿って、開口を有する凹溝部を具備し、開口が内周側に向く配置で、四箇所で折り曲げることによって、四角形状に変形させている。
【００１８】
一方、前記裏板と透明体は、周縁部を前記凹溝部内に装挿することで、フレームの内周に係止されている。
【００１９】
ここで、前記フレームは、左右の縦枠のそれぞれに切断部を形成して、この形成した切断部を境にして、上部フレーム部と下部フレーム部とに分断し、更に、上部フレーム部と下部フレーム部を、連結金具によって分離自在に連結するとよく、これにより、絵画、写真、賞状等の額装物の額装が容易となる。
【００２０】
また、四箇所で折り曲げてフレームを構成するフレーム材は、折り曲げる箇所において、折り曲げる方向に約９０度の切り欠きを形成するとよく、これにより、スムーズに折り曲げることが可能となる。
【実施例１】
【００２１】
本考案のパネルの実施例について図面を参照して説明すると、図１は、本実施例のパネルの正面図であり、また、図２は図１におけるＡ−Ａ線断面図であり、図において１が、本実施例のパネルである。また、図１、２において５は、パネル１に額装した絵画、写真、賞状等の額装物である。
【００２２】
そして、本実施例のパネル１は、図に示すように、全体として略四角形状としている。即ち、本実施例のパネル１では、長尺状のフレーム材を略四角形状に枠組みすることによりフレーム２が形成されており、フレーム２は、左右の縦枠２０１と、上枠２０２と、下枠２０３とで構成され、このフレーム２の内周には、裏板と透明体が係止されている。
【００２３】
即ち、図２において３が裏板であり、本実施例においてこの裏板３は、５ｍｍ程度の厚みの発泡スチロール製としている。
【００２４】
また、この裏板３の正面側には、前記裏板３とほぼ同一の面積を有する透明体４が重ねあわされており、この透明体４は、樹脂等により構成され、前記裏板３とともに額装物を挟みこむこととしている。
【００２５】
なお、本考案のパネルの寸法は特に限定されず、例えば、大きいサイズではＢ０版が考えられ、また小さいサイズでは４７５ｍｍ×５７５ｍｍのポスターサイズが考えられる。
【００２６】
また、前記裏板３は必ずしも発泡スチロールで構成する必要は無く、透明体４とともに額装物を挟み込むことが可能なものであればいずれでも良く、従って、その他、段ボール、厚紙、ＭＤＦ等でもよい。
【００２７】
次に、前記フレーム２について説明すると、図３は本実施例における前記フレーム２の分解斜視図であり、図において、前記フレーム２は、前記左右の縦枠２０１の上方部分において切断されており、この切断部２０４を境にして、上部フレーム部６と下部フレーム部７に分断されている。
【００２８】
そして、前記上部フレーム部６及び下部フレーム部７はそれぞれ、長尺のフレーム材を変形することで形成されている。
【００２９】
ここで、前記フレーム材について説明すると、図４及び図５は、前記各フレーム６、７を構成するフレーム材を示す図であり、図４は、前記上部フレーム部６を構成するフレーム材８を示しており、図５は、前記下部フレーム部７を構成するフレーム材９を示している。
【００３０】
そして、前記フレーム材８、９はそれぞれ、断面形状をコ字状としており、長手方向に沿って、開口１０を有する凹溝部１１を具備し、前記開口１０が内周側になる向きで、二箇所で折り曲げることによって、前記上部フレーム６と、下部フレーム７を形成している。
【００３１】
即ち、前記上部フレーム６は、前記フレーム材８を、前記開口１０が内周側になる向きで門型に折り曲げて形成しており、一方、前記下部フレーム７は、前記フレーム材９を、上部フレーム６の場合と同じく前記開口１０が内周側になる向きで、逆門型に折り曲げて形成している。
【００３２】
そのため、本実施例におけるフレーム２では、前記フレーム材８、９における折り曲げた部分がコーナーになるため、コーナーに丸みを持たせることができ、従って、フレーム材の端部を９０度に切断して、この切断部を互いに直交する方向に連結することでフレームを構成していた従来のパネルと異なり、コーナーで手等に怪我をしてしまうことが無く、安全に額装物の出し入れやパネルの運搬、掲示が可能である。
【００３３】
次に、図３において１２は連結金具である。即ち、本実施例において前記上部フレーム部６と下部フレーム部７は、プレート状とした連結金具１２によって互いに連結されており、分離自在とされている。
【００３４】
ここで、前記連結金具１２は、上方部分と下方部分にネジ孔を有しており、前記上部フレーム部６の下端と下部フレーム部７の上端を互いに当接させた状態において、前記凹溝部１１の底面で、ネジ１３によって、上方部分は上部フレーム部６と分離自在に連結され、下方部分は下部フレーム部７と分離自在に連結されている。
【００３５】
そして、これにより、フレーム２が四角形状に枠組みされているとともに、前記上部フレーム部６と下部フレーム部７は分離自在に連結され、更に、前記裏板３と透明体４は、その周縁部が前記凹溝部１１内に装挿される配置で前記フレーム２の内周に係止されている。
【００３６】
なお、前記左右の縦枠２０１を上下に分断する切断部２０４の箇所は、必ずしも左右の上方部分には限定されず、その他の箇所でも良い。そして、パネルの大きさとともに切断部２０４の箇所に応じて、前記上部フレーム部６を構成するフレーム材８と、前記下部フレーム部７を構成するフレーム材９の長さ寸法が決定される。
【００３７】
次に、図４、５において１４は、前記フレーム材８、９に形成した切り欠きである。即ち、本実施例において前記フレーム材８、９はそれぞれ、図４、５に示されるように、折り曲げる箇所において、フレームの内周になる側に、約９０度の切り欠き１４を形成しており、これにより、スムーズに折り曲げを行うことを可能にしている。
【００３８】
次に、図３において１６は係止金具である。即ち、本実施例のパネル１では、下部フレーム部７の上方部分において、連結金具１２を固着するためのネジ１３によって係止金具１６を、下部フレーム部７の左右双方に取り付けており、パネル１を壁等に掛ける際に、前記係止金具１６を係止用の紐等で連結し、係止金具１６を連結した係止用の紐によって、パネル１を壁等に掛けることを可能にしている。但し、この係止金具１６は必ずしも必要なものではなく、これを備えない構成としてもよい。
【００３９】
次に、このように構成される本実施例のパネル１の作用について説明すると、本実施例のパネル１に絵画、写真、賞状等の額装物を額装する際には、まず、上部フレーム部６と連結金具１２を互いに固着しているネジ１３を外した後に、上部フレーム部６を上方に持ち上げて、上部フレーム部６を下部フレーム部７から分離する。
【００４０】
そして次に、下部フレーム部７の上部から、裏板３と透明体４の間に絵画、写真、賞状等の額装物５を装挿し、その後、上部フレーム部６を下部フレーム部７の上部に合わせるとともに、ネジ１３によって連結金具１２と上部フレーム部６を互いに固着して元の形態に戻す。そうすると、これによって、絵画、写真、賞状等のパネル１への額装が完了し、その後は適宜、係止用の紐で前記係止金具１６を連結して、この係止用の紐によってパネル１を所望する箇所に掲示する。
【００４１】
そしてこのとき、本実施例のパネル１では、長尺のフレーム材８、９を折り曲げることによって、フレーム２を形成しており、従って、フレームのコーナーは、従来のパネルにおけるフレームのような鋭角ではなく、丸みを帯びた形状となっているため、絵画、写真、賞状等の出し入れの際や、絵画、写真、賞状等を額装したパネルを所望する箇所に掲示する際に、フレームのコーナー部で、手等に怪我をしてしまうことが無く、安全に額装物の出し入れやパネルの運搬、掲示が可能である。
【００４２】
このように、本実施例のパネル１では、長尺のフレーム材８、９を折り曲げることによってフレーム２を形成して、フレーム材８、９を折り曲げた箇所でフレームのコーナーを構成しているために、コーナーに丸みを持たせることができるので、安全に額装物の出し入れやパネルの運搬、掲示が可能である。
【産業上の利用可能性】
【００４３】
本考案のパネルでは、長尺のフレーム材を折り曲げることでフレームを形成することで、フレーム材を折り曲げた箇所でフレームのコーナーを構成し、これにより、フレームのコーナーに丸みを持たせて安全に額装物の出し入れやパネルの運搬、掲示を行うことを可能にしているため、フレームを有するパネルの全般に適用可能である。
【符号の説明】
【００４４】
１    パネル
２    フレーム
２０１    左右の縦枠
２０２    上枠
２０３    下枠
２０４    切断部
３    裏板
４    透明体
５    額装物
６    上部フレーム部
７    下部フレーム部
８、９    フレーム材
１０    開口
１１    凹溝部
１２    連結金具
１３    ネジ
１４    切り欠き
１６    係止金具
【図１】
0003170265.tif 000003
【図２】
0003170265.tif 000004
【図３】
0003170265.tif 000005
【図４】
0003170265.tif 000006
【図５】
0003170265.tif 000007
【図６】
0003170265.tif 000008